(57)【要約】【課題】宙吊り状態で陳列されるのが望ましい商品について、輸送状態のまま陳列しても高いディスプレイ効果が得られるとともに、内容物の出し入れを容易にし、かつ、保存性を高める。【解決手段】箱本体Ａの左右両側板１，１の内側に両側翼片部９，９を折り込んで二重壁構造の左右両側壁Ｂ，Ｂを形成し、この左右両側壁Ｂ，Ｂの上端部に複数の係止溝１２…を前後に一定間隔を置いて切り込み形成し、複数の目刺しＣ…を宙吊り支持する吊り棒の両端部を係止溝１２…に係止させて両側壁Ｂ，Ｂ間に架け渡すようにした。【選択図】　　　　図３
2004142775.tif 000002
【特許請求の範囲】
【請求項１】
相対向する左右両側壁の上端部に、複数の係止部が前後方向に間隔を置いて設けられ、内容物を箱内に宙吊り状態で支持する複数の吊り棒を、その両端部が上記係止部に係止する状態で上記両側壁間に架け渡すように構成されたことを特徴とする包装用箱。
【請求項２】
請求項１記載の包装用箱において、段ボール、プラスチックシート等の折り曲げ可能なシート体を素材とし、左右両側壁の上端部に、吊り棒の両端部が上方から差し込まれる係止部としての係止溝が切り込み形成されたことを特徴とする包装用箱。
【請求項３】
請求項２記載の包装用箱において、箱本体を構成する左右両側板に翼片部が連続して一体に設けられ、この両側翼片部が上記左右両側板の内側に折り込まれることにより、上記両側板を外壁、翼片部を内壁とする二重壁構造の左右両側壁が形成され、上記両側翼片部の折り曲げ部分に係止溝が設けられたことを特徴とする包装用箱。
【請求項４】
請求項２記載の包装用箱において、箱本体内に、同本体とは別体に形成された内壁部材が挿入され、この内壁部材は、箱本体の底板の内側に重なる底面部と、左右両側板の内側に重なる左右両側面部と、この両側面部の外側に一体に連続形成された両側翼片部とから成り、この両側翼片部が上記両側板と両側面部との間に折り込まれることにより、箱本体の側板を最外壁、上記翼片部を外壁、側面部を内壁とする三重壁構造の左右両側壁が形成され、上記両側翼片部の折り曲げ部分に係止溝が設けられたことを特徴とする包装用箱。
【請求項５】
請求項３または４記載の包装用箱において、両側翼片部が逆Ｕ字形に折り曲げられ、この折り曲げ部分に水平溝部と垂直溝部が連続する係止溝が設けられたことを特徴とする包装用箱。
【請求項６】
箱本体は上面が開口し、この開口部を開閉する蓋が一体に設けられたことを特徴とする請求項１乃至５のいずれか１項に記載の包装用箱。
【請求項７】
箱本体の胴部に、外部から内容物を見る窓穴が設けられたことを特徴とする請求項１乃至６のいずれか１項記載の包装用箱。
【発明の詳細な説明】
【０００１】
【発明の属する技術分野】
本発明は主に食品、とくに吊り棒に吊下された状態で陳列・販売されるのが望ましい目刺し等の食品に適する包装用箱に関するものである。
【０００２】
【従来の技術】
たとえば目刺しは、産地で天日干しされた上、箱詰め、輸送され、店頭で箱入りのまま陳列・販売される。
【０００３】
【発明が解決しようとする課題】
この場合、従来は、段ボールや発泡スチロール製の箱内に多数の目刺しを整列状態で梱包して保存、輸送し、かつ、店頭で陳列・販売するに過ぎないため、次のような問題が生じていた。
【０００４】
▲１▼　目刺しが輸送中等に整列状態からずれてバラバラになり、あるいは折り重なるため、陳列状態での見栄えが悪いとともに、外部から数量、外観が確認し難い。
【０００５】
また、とりたてのいわしを宙づり状態で日にさらす天日干しのイメージと、箱に折り重なって寝かされた実際の陳列状態とがかけ離れているため、商品イメージが損なわれる。
【０００６】
これらの点で、ディスプレイ性に劣るため、商品価値が下がり、購買意欲が殺がれる。
【０００７】
なお、ディスプレイ効果を高めるために、箱から出して、天日干しに近い状態（たとえば串に刺して宙づりにした状態）で陳列し直すことは可能であるが、非常に面倒でコストアップとなるため、実際的でない。
【０００８】
▲２▼　一尾ずつ並べて箱詰めするため、箱詰め作業の効率が悪いとともに、販売時にも取出し難い。
【０００９】
▲３▼　冷凍輸送時を含めて保存（保冷等）のための調整空気が箱内全域、目刺し全体に行き渡り難く、保存性が悪い。
【００１０】
このような問題は、目刺しに限らず、他の干し魚や干し貝、干し柿等の類似の干物全般に、そして干物以外の宙吊り状態で陳列するのが望ましい商品（とくに食品）全般にあり、この点の改善が待たれていた。
【００１１】
そこで本発明は、宙吊り状態で陳列されるのが望ましい商品について、輸送状態のまま陳列しても高いディスプレイ効果が得られるとともに、内容物の出し入れが簡単で保存性にもすぐれた包装用箱を提供するものである。
【００１２】
【課題を解決するための手段】
請求項１の発明は、相対向する左右両側壁の上端部に、複数の係止部が前後方向に間隔を置いて設けられ、内容物を箱内に宙吊り状態で支持する複数の吊り棒を、その両端部が上記係止部に係止する状態で上記両側壁間に架け渡すように構成されたものである。
【００１３】
請求項２の発明は、請求項１の構成において、段ボール、プラスチックシート等の折り曲げ可能なシート体を素材とし、左右両側壁の上端部に、吊り棒の両端部が上方から差し込まれる係止部としての係止溝が切り込み形成されたものである。
【００１４】
請求項３の発明は、請求項１または２の構成において、箱本体を構成する左右両側板に翼片部が連続して一体に設けられ、この両側翼片部が上記左右両側板の内側に折り込まれることにより、上記両側板を外壁、翼片部を内壁とする二重壁構造の左右両側壁が形成され、上記両側翼片部の折り曲げ部分に係止溝が設けられたものである。
【００１５】
請求項４の発明は、請求項１または２の構成において、箱本体内に、同本体とは別体に形成された内壁部材が挿入され、この内壁部材は、箱本体の底板の内側に重なる底面部と、左右両側板の内側に重なる左右両側面部と、この両側面部の外側に一体に連続形成された両側翼片部とから成り、この両側翼片部が上記両側板と両側面部との間に折り込まれることにより、箱本体の側板を最外壁、上記翼片部を外壁、側面部を内壁とする三重壁構造の左右両側壁が形成され、上記両側翼片部の折り曲げ部分に係止溝が設けられたものである。
【００１６】
請求項５の発明は、請求項３または４の構成において、両側翼片部が逆Ｕ字形に折り曲げられ、この折り曲げ部分に水平溝部と垂直溝部が連続する係止溝が設けられたものである。
【００１７】
請求項６の発明は、請求項１乃至５のいずれかの構成において、箱本体は上面が開口し、この開口部を開閉する蓋が一体に設けられたものである。
【００１８】
請求項７の発明は、請求項１乃至６のいずれかの構成において、箱本体の胴部に、外部から内容物を見る窓穴が設けられたものである。
【００１９】
上記構成によると、たとえば目刺しを複数尾一組として複数組、吊り棒により宙吊り状態で箱詰め、保存、輸送し、かつ、そのまま店頭で陳列することができる。
【００２０】
従って、目刺しが輸送中等に整列状態からずれてバラバラになったり折り重なったりするおそれがなく、かつ、天日干しのイメージそのままに陳列できるため、陳列状態での見栄え、商品イメージを高めることができるとともに、外部から数量、外観が確認し易くなる。
【００２１】
これらの点で、目刺しに限らず宙吊り状態で陳列するのが望ましい商品について、ディスプレイ効果を上げ、商品イメージを高めることができる。
【００２２】
また、複数の商品を複数ずつ吊り棒にまとめて支持した状態で箱詰めし、販売できるため、出し入れが簡単で箱詰め作業の効率が良くなるとともに、販売時に取出し易くなる。
【００２３】
加えて、内容物が宙吊り支持され、冷凍輸送時を含めて保存のための調整空気が箱内全域、そして内容物全体に行き渡り易いため、保存性が良くなり、とくに食品の実質的な賞味期限を伸ばすことが可能となる。
【００２４】
この場合、請求項２〜５の構成によると、段ボール、プラスチックシート等の一般的な箱材料を、通常の箱同様、型抜き、加工して製作できるため、製造コストが安くてすむ。
【００２５】
とくに請求項３の構成によると、箱全体が一枚のシート体によって一体に形成されるため、材料コスト、組立コストが安く、さらにコストダウンすることができる。
【００２６】
一方、箱本体に別体の内壁部材を挿入して組立てる請求項４の構成によると、箱本体を共通として、内容物の数量に応じて係止溝の数（支持される吊り棒の本数）の異なる内壁部材を使い分けることにより、内容量の異なる複数種類の箱を安価に製作することができる。
【００２７】
また、請求項２〜５の構成によると、係止部として、吊り棒の両端部が差し込まれる係止溝を切り込み形成したから、係止部として左右両側壁に穴を設けた場合と比較して、吊り棒の着脱が容易で、箱詰め作業及び販売時の取出しが簡単となる。
【００２８】
請求項５の構成によると、係止溝を、水平溝部と垂直溝部とから成る逆Ｌ字形に形成したから、係止溝が強くて変形し難く、かつ、吊り棒の両端部を広い範囲で支持できることから、吊り棒をずれたり外れたりせずに安定良く支持することができる。
【００２９】
請求項６の構成によると、蓋付きの独立した箱として単独で輸送することができる。
【００３０】
なお、蓋は必ずしも設ける必要はなく、この場合は外箱に入れて輸送し、外箱から出して陳列すればよい。
【００３１】
一方、請求項７の構成によると、陳列時に、箱本体の胴部に設けられた窓穴によって外部から内容物が見易くなり、商品の数量、外観等を多角的に確認できるため、ディスプレイ効果が高いとともに出し入れがより簡単となる。
【００３２】
【発明の実施の形態】
本発明の実施形態を図によって説明する。
【００３３】
以下の実施形態では、目刺しの輸送、陳列用の箱を適用対象として例示している。
【００３４】
第１実施形態（図１〜図５参照）
この箱の本体Ａは、一般的な箱同様、段ボール、プラスチックシート等の折り曲げ可能なシート体の打ち抜き、折り曲げ加工により、左右両側板１，１と、前板２と、後板３と、底板４から成る上面が開口した直方体状に構成されている。
【００３５】
底板４は、両側板１，１、前板２、後板３に延設された底片４ａ，４ａ，４ｂ，４ｃ（図３参照）がかみ合い状態で内外に折り重ねられて形成される。
【００３６】
また、前板２における左右両側部と下部を残した広い範囲に前面窓穴６が設けられ、輸送、保存時に、後板３に延設された蓋７によって図１の二点鎖線で示すようにこれら上面開口部５及び窓穴６が閉じられる。
【００３７】
図１〜図４中、８は左右両側板１，１に設けられた取手穴である。
【００３８】
この箱本体Ａの左右両側板１，１には、両側板１，１とほぼ同形、同大の翼片部９，９が一体に延設され、この両側翼片部９，９が両側板１，１の内側に隙間を置いてＵターン状に折り込まれている。
【００３９】
なお、両翼片部９，９の下端に細長い四角形の突片１０が設けられ、この突片１０が、底板４の左右両端部に設けられた同形の角穴１１に差し込まれることによって両翼片部９，９の折り込み状態が保持される。
【００４０】
こうして、左右両側板１，１と両側翼片部９，９とによって二重壁構造の左右両側壁Ｂ，Ｂが形成され、この左右両側壁Ｂ，Ｂの上端部（翼片部９，９の折り曲げ部分）に複数の係止部としての係止溝１２…が前後方向に一定間隔を置いて切り込み形成されている。
【００４１】
この係止溝１２は、図５に示すように両翼片部９，９の折り曲げ部分における水平部分に設けられた水平溝部１２ａと、同垂直部分に設けられた垂直溝部１２ｂから成る逆Ｌ字形に形成され、図４，５に示すように吊り棒１３の両端部がこの係止溝１２に上方から差し込まれて係止される。
【００４２】
これにより、複数本の吊り棒１３…が前後に一定間隔を置いて両側壁Ｂ，Ｂ間に架け渡されて支持される。
【００４３】
この箱を使用するときは、複数尾の目刺しＣ…に刺し通された複数本の吊り棒１３を、上記のように係止溝１２…により両側壁Ｂ，Ｂ間に架け渡し、これにより多数の目刺しＣ…を前後複数列に分けて宙吊り状態で箱内に収容する。
【００４４】
そして、この状態で蓋７を閉めて密封し、この箱を独立して、あるいは必要に応じ外箱に複数個ずつ入れて輸送、保存し、かつ、蓋７を開けて店頭で陳列し販売する。
【００４５】
この箱によると、上記のように多数の目刺しＣ…を宙吊り支持した状態で収容するため、輸送用としてだけでなく、店頭での陳列用としてそのまま使用することができる。
【００４６】
従って、目刺しＣ…が輸送中等に整列状態からずれてバラバラになったり折り重なったりするおそれがなく、かつ、天日干しのイメージそのままに陳列できるため、陳列状態での見栄え、商品イメージを高めることができるとともに、外部から数量、外観が確認し易くなる。
【００４７】
このため、目刺しＣ…を折り重ねて陳列する従来の箱と比較して、格段にディスプレイ効果を上げ、商品イメージを高めることができる。
【００４８】
また、多数の目刺しＣ…を複数尾ずつ吊り棒１３にまとめて支持した状態で箱詰めし、販売できるため、目刺しＣ…の出し入れが簡単で箱詰め作業の効率が良くなるとともに、販売時に取出し易くなる。
【００４９】
加えて、目刺しＣ…が宙吊り支持されることから、保冷等のための調整空気が箱内全域に、そして各目刺し全体に行き渡り易いため、保存性が良くなり、目刺しＣ…の実質機な賞味期限を伸ばすことが可能となる。
【００５０】
さらに、この実施形態のように箱本体Ａの前板２に窓穴６を設けておけば、内容物である目刺しＣ…を外部から見易くなり、商品の数量、外観等を多角的に確認できるため、ディスプレイ効果が高いとともに、箱詰め時及び販売時の出し入れがより簡単となる。
【００５１】
一方、この箱は、段ボール、プラスチックシート等の一般的な箱材料を、通常の箱同様、型抜き、加工して製作できるため製造コストが安くてすむ。しかも、この実施形態では、係止溝１２…を含む箱全体を一枚のシート体によって製作できるため、材料コスト、組立コストが安く、さらにコストダウンすることができる。
【００５２】
また、係止部として、吊り棒１３の両端部が上方から差し込まれる係止溝１２を設けたから、係止部として単なる穴を設けた場合と比較して、吊り棒１３の着脱が簡単で、目刺しＣ…の箱詰め作業及び販売時の取出しが容易となる。
【００５３】
しかも、この係止溝１２…が水平溝部１２ａと垂直溝部１２ｂから成る逆Ｌ字形に形成されているため、単なる縦溝と比較して、係止溝１２が強くて変形しない上に、吊り棒１３の両端部が広い範囲で安定良く支持される。このため、吊り棒１３…がずれたり外れたりせずに安定良く支持される。
【００５４】
第２実施形態（図６，７参照）
第１実施形態との相違点のみを説明する。
【００５５】
第２実施形態の箱は、箱本体Ａ内に、同本体Ａとは別体に形成された内壁部材Ｄが挿入されて構成される。
【００５６】
箱本体Ａは、第１実施形態同様、左右両側板１，１と、窓穴６付きの前板２と、後板３と、底板４から成り、後板３に蓋７が設けられている。
【００５７】
内壁部材Ｄは、箱本体Ａの底板４の内側に重なる底面部１４と、左右両側板１，１の内側に重なる左右両側面部１５，１５と、この両側面部１５，１５の外側に一体に連続形成された両側翼片部１６，１６とから成り、この両側翼片部１６，１６が両側板１，１と両側面部１５，１５との間に折り込まれた状態で内壁部材Ｄが箱本体Ａ内に挿入されることにより、図７に示すように箱本体Ａの側板１，１を外壁、翼片部１６，１６を中間壁、側面部１５，１５を内壁とする三重壁構造の左右両側壁Ｅ，Ｅが形成される。
【００５８】
そして、この左右両側壁Ｅ，Ｅの上端部（翼片部１６，１６の折り曲げ部分）に、第１実施形態同様、水平溝部１２ａと垂直溝部１２ｂから成る複数の係止溝１２…が前後に一定間隔をおいて設けられ、吊り棒１３の両端部がこの係止溝１２…に係止される。
【００５９】
この第２実施形態の構成によると、箱本体Ａを共通として、内容物の数量に応じて係止溝１２の数（支持される吊り棒１３の本数）が異なる内壁部材Ｄを使い分けることにより、内容量の異なる複数種類の箱を安価に製作することができる。
【００６０】
他の実施形態
（１）上記両実施形態のように箱本体Ａに蓋７を設ければ、独立した箱として単独で輸送することができるという利点があるが、この蓋７を設けず、蓋無しの箱全体を複数個ずつ外箱に入れて輸送、保存するようにしてもよい。
【００６１】
この蓋無し構成とすれば、蓋７が陳列の邪魔にならないというメリットを有する。
【００６２】
（２）窓穴６は箱本体Ａの胴部に設ければよく、上記実施形態のように本体前板２に限らず、両側板１，１に設けてもよいし、前板２と両側板１，１の双方に設けてもよい。
【００６３】
（３）係止溝１２は、上記実施形態で例示した水平溝部１２ａと垂直溝部１２ｂから成る逆Ｌ字形に限らず、単なる縦溝として形成してもよい。また、この逆Ｌ字形または縦溝状の係止溝１２を、吊り棒１３よりも細い線状のスリットとし、吊り棒１３の両端部をこのスリット状係止溝に弾性的に押し込むようにしてもよい。
【００６４】
また、とくに第２実施形態のように箱本体Ａ内に内壁部材Ｄを挿入する構成をとる場合、係止部として、左右両側壁Ｅ，Ｅ（左右両側面部１５，１５）の上端部に係止溝１２に代えて複数の穴（丸穴、角穴）を設けてもよい。
【００６５】
（４）本発明は、目刺し用に限らず、干し貝や干しいか、干し柿等のように宙吊り状態で輸送、陳列するのが望ましい商品（とくに食品）用として広く適用することができる。
【００６６】
【発明の効果】
上記のように本発明の包装用箱によると、相対向する左右両側壁の上端部に複数の係止部（請求項２〜５では係止溝）を設け、目刺し等の内容物を宙吊り状態で支持する吊り棒を係止溝により左右両側壁間に架け渡して収容する構成としたから、たとえば目刺しを複数尾一組として複数組、吊り棒により宙吊り状態で箱詰め、保存、輸送し、かつ、そのまま店頭で陳列することができる。
【００６７】
従って、目刺しが輸送中等に整列状態からずれてバラバラになったり折り重なったりするおそれがなく、かつ、天日干しのイメージそのまま宙吊り状態で陳列できるため、陳列状態での見栄え、商品イメージを高めることができるとともに、外部から数量、外観が確認し易くなる。
【００６８】
これらの点で、目刺しをはじめ他の干し魚や干し貝、干し柿等のように宙吊り状態で陳列するのが望ましい商品について、ディスプレイ効果を上げ、商品イメージを高めて消費者の購買意欲を高めることができる。
【００６９】
また、複数の商品を複数ずつ吊り棒にまとめて支持した状態で箱詰めし、販売できるため、出し入れが簡単で箱詰め作業の効率が良くなるとともに、販売時に取出し安くなる。
【００７０】
加えて、内容物が宙吊り支持され、冷凍輸送時を含めて保存のための調整空気が箱内全域、そして内容物全体に行き渡り易いため、保存性が良くなり、とくに食品の実質的な賞味期限を伸ばすことが可能となる。
【図面の簡単な説明】
【図１】本発明の第１実施形態にかかる箱の組立斜視図である。
【図２】同組立途中の斜視図である。
【図３】同展開図である。
【図４】箱内に目刺しを収容する状況を示す一部拡大斜視図である。
【図５】同一部拡大断面図である。
【図６】本発明の第２実施形態にかかる箱の組立途中の斜視図である。
【図７】同一部拡大断面図である。
【符号の説明】
Ａ　箱本体
１，１　左右両側板
２　前板
３　後板
４　底板
５　上面開口部
６　窓穴
７　蓋
９，９　両側翼片部
Ｂ，Ｂ　左右両側壁
１２　係止部としての係止溝
１３　吊り棒
Ｃ　目刺し
Ｄ　内壁部材
１４　内壁部材の底面部
１５，１５　同左右両側面部
１６，１６　同両側翼片部
Ｅ，Ｅ　同左右両側壁
【図１】
2004142775.tif 000003
【図２】
2004142775.tif 000004
【図３】
2004142775.tif 000005
【図４】
2004142775.tif 000006
【図５】
2004142775.tif 000007
【図６】
2004142775.tif 000008
【図７】
2004142775.tif 000009